(57)【要約】【課題】  複数の方向情報を持つ操作部材で複数選択物の中から１つ選択する際に、絶対位置選択手段と相対位置選択手段を切り替える手段を設け、選択方法を切り替えてる事を可能としたことにより、使い勝手の良い操作方法を提供すること。【解決手段】  撮影の流れや好みによって測距点選択方式を絶対位置設定、相対位置設定と任意に変更できるようにする。【選択図】  図１
2006349832.tif 000002
【特許請求の範囲】
【請求項１】
複数の方向情報を持つ操作部材を備え、
複数の測距点があり、
前記測距点を選択する際に、
前記操作部材の方向情報に対応した測距点を選択する絶対位置値選択手段と、
前記操作部材の方向情報に対応じて現在選択されている測距点のから、相対的に選択していく相対位置選択手段とがあり、
前記、絶対位置値選択と相対位置選択の切り替えを行う手段を備えていることを特徴とするカメラ。
【請求項２】
複数の方向情報を持つ操作部材を備え、
撮影した画像を複数表示する手段があり、
前記複数表示された撮影画像から１つを選択する際に、
前記操作部材の方向情報に対応した撮影画像を選択する絶対位置値選択手段と、
前記操作部材の方向情報に対応じて現在選択されている撮影画像のから、相対的に選択していく相対位置選択手段とがあり、
前記絶対位置値選択と相対位置選択の切り替えを行う手段を備えていることを特徴とするカメラ。
【請求項３】
前記、方向情報を持つ操作部材からの入力が、所定時間内に続けて同じ方向で入力された場合は、方向情報とは別の機能を割り当てることを特徴とする請求項１および請求項２に記載のカメラ。
【発明の詳細な説明】
【技術分野】
【０００１】
本発明は、複数の方向情報を持つ操作部材で複数の選択物の中から１つ選択する際の選択方法に関するものである。
【背景技術】
【０００２】
従来、カメラの測距点の様に複数の位置に配置された選択物から１つ選択する場合は、まず測距点設定するモードへと入り、ダイヤルを操作して順番に測距点を選択し、目的の測距点を選択していた。
【０００３】
このとき、ダイヤルを左へ回せば左側の測距点へと選択候補が移動し、ダイヤルを右へ回せば右側の測距点へと選択候補が移動する。
【０００４】
ダイヤルには操作する感覚に合った左右という方向が定義されていて、測距点の並びに対応して選択していくこと可能であった。
【０００５】
また、複数の撮影画像から１つ選択する様な場合は、表示可能枚数分の画像を表示させ、ダイヤル等の操作部材により次々と選択候補を切り替えていた。
【０００６】
又、従来例としては、例えば特許文献１と特許文献２と特許文献３をあげることが出来る。
【特許文献１】特開2000-250119号公報
【特許文献２】特開2000-147364号公報
【特許文献３】特開2003-29126号公報
【発明の開示】
【発明が解決しようとする課題】
【０００７】
しかしながら、測距点が多くなると目的の測距点を選択するためには何度もダイヤルを回転させなければならない。被写体にあわせて測距点を変更して撮影を行う場合などは、測距点の選択に時間がかかっていてはシャッターチャンスをのがしてしまう可能性がある。
【０００８】
また、撮影画像の選択の場合、画像枚数が多くなると一度にすべての画像を選択対象として表示することができないので、選択対象となる画像の切り替えと、その選択対象の中から１つ選択するという作業が必要となる。
【０００９】
選択したい画像が選択候補とされるまでダイヤルを操作していく。
【００１０】
そのため、選択すべき撮影画像を見失ったり、ダイヤル操作が多くなり操作が複雑になったりしていた。
【００１１】
本発明は、これらの点に鑑みて、複数の方向情報を持つ操作部材で複数選択物の中から１つ選択する際に、絶対位置選択手段と相対位置選択手段を切り替える手段を設け、選択方法を切り替えている事を可能としたことにより、使い勝手の良い操作方法を提供することが目的である。
【課題を解決するための手段】
【００１２】
上記の目的を達成するために、第1の発明では、撮影の流れや好みによって測距点選択方式を絶対位置設定、相対位置設定と任意に変更できるようにしたことを特徴とする。
【００１３】
第2の発明では、現在表示されている撮影画像の選択候補の中から１つ選択する場合の選択方法を、絶対位置設定、相対位置設定と任意に変更できるようにしたことを特徴とする。
【００１４】
第3の発明では、第１、第２の発明において、同じ方向ＳＷが所定時間内に続けて入力された時には、方向情報とは別の機能が割り当てられることを特徴とする。
【発明の効果】
【００１５】
以上説明したように、本発明の請求項１に記載のカメラでは、撮影の流れや好みによって測距点選択方式を切り替えることを可能としたため、撮影者の使い勝手の良い操作系を提供することができる。
【００１６】
請求項２のカメラでは、現在表示されている撮影画像の選択候補の中から１つ選択する場合の選択方法を、絶対設定、相対設定と任意に変更できるようにしたので、特に撮影画像が多い場合などは、表示位置と操作部材の方向情報を関連付けして選択することが可能となり、感覚的にわかりやすい操作系を実現できる。
【００１７】
請求項３のカメラでは、方向情報を持つ操作部材からの入力が、所定時間内に続けて同じ方向で入力された場合は、方向情報とは別の機能を割り当てることを可能としたため、操作部材を変えることなく一連の流れで操作することが可能となり、よりスムーズな操作系を提供することができる。
【発明を実施するための最良の形態】
【００１８】
図6は、本発明の一例となる実施例の構成を示す図であり、図中100の部分がデジタルカメラ本体の構成である。
【００１９】
10は交換可能な外付け撮影レンズを取り付けるレンズマウント部で、装着されたレンズは42のレンズ制御回路により制御される。10のレンズマウントに装着されたレンズを通過した光束は、11のミラーに入射し、104の光学ファインダーや40の測距演算部、41の測光演算部へと導かれる。12は先幕と後幕から構成されているシャッターで、11のミラーと共に43のメカ制御回路により制御されている。
【００２０】
14は光学像を電気信号に変換する例えばＣＣＤ等の撮像素子、16は撮像素子14のアナログ信号出力をデジタル信号に変換するＡ／Ｄ変換器である。
【００２１】
18は撮像素子14や、Ａ／Ｄ変換器16や、Ｄ／Ａ変換器26にクロック信号や制御信号を供給するタイミング発生回路であり、メモリ制御回路22及びシステム制御回路50により制御される。
【００２２】
20は画像処理回路であり、Ａ／Ｄ変換器16からのデータ或いはメモリ制御回路22からのデータに対して所定の画素補間処理や色変換処理を行う。
【００２３】
さらに、画像処理回路20においては、撮像した画像データを用いて所定の演算処理を行い、得られた演算結果に基づいてＴＴＬ方式のＡＷＢ（オートホワイトバランス）処理も行っている。
【００２４】
22はメモリ制御回路であり、Ａ／Ｄ変換器16、タイミング発生回路18、画像処理回路20、画像表示メモリ24、Ｄ／Ａ変換器26、画像データメモリ30、画像ファイル生成部32を制御する。
【００２５】
Ａ／Ｄ変換器16のデータが画像処理回路20、メモリ制御回路22を介して、或いはＡ／Ｄ変換器16のデータが直接メモリ制御回路22を介して、画像表示メモリ24或いは画像データメモリ30に書き込まれる。
【００２６】
24は画像表示メモリ、26はＤ／Ａ変換器、28はＴＦＴ型ＬＣＤ等から成る画像表示部であり、画像表示メモリ24に書き込まれた表示用の画像データはＤ／Ａ変換器26を介して画像表示部28により表示される。
【００２７】
画像表示部28はカメラ背面に設置され、撮像後の画像確認やシステム制御回路50との通信によりさまざまな情報告知としても表示されるが、画像表示部28を用いて撮像した画像データを逐次表示すれば電子ファインダー機能を持った画像モニタを実現することも可能である。
【００２８】
30は撮影した静止画像や動画像を格納するためのメモリであり、所定枚数の静止画像や所定時間の動画像を格納するのに十分な記憶量を備えている。
【００２９】
これにより、複数枚の静止画像を連続して撮影する連射撮影やパノラマ撮影の場合にも、高速かつ大量の画像書き込みを画像データメモリ30に対して行うことが可能となる。
【００３０】
また、画像データメモリ30はシステム制御回路50の作業領域としても使用することが可能である。
【００３１】
32は画像データを圧縮伸長しファイル化する画像ファイル生成部であり、画像データメモリ30に格納された画像を読み込んで圧縮処理或いは伸長処理を行い、処理を終えたデータを画像データメモリ30に書き込む。
【００３２】
画像ファイル生成部32は、画像データメモリ30に格納されたＲ、Ｇ、Ｂの画像データを輝度信号Ｙおよび色差信号ＣからなるYCデータに変換して、これをたとえば、JPEG（Joint Photographic Coding Experts Group）形式にて圧縮した画像ファイルを生成する。
【００３３】
画像データメモリ30に書き込まれた圧縮されたデータを読み出し画像表示部28に画像を出力することでサムネイル（thumbnail）画像となり、さらに連続して読み出し画像表示部28に並べて表示することでインデックス画像（マルチ画像）としてモニタすることができる。
【００３４】
42は撮影レンズ10のフォーカシングを制御するレンズ制御手段であり、44の測距点の中から選択された測距点情報で演算した演算結果に基づきレンズを駆動する。
【００３５】
50は画像処理装置100全体を制御するシステム制御回路であり、内部にＲＯＭ、ＲＡＭ、Ａ／ＤコンバータやＤ／Ａコンバータを有するマイクロコンピュータである。
【００３６】
54はシステム制御回路50でのプログラムの実行に応じて、文字、画像、音声等を用いて動作状態やメッセージ等を表示する液晶表示装置、スピーカー等の表示部であり、画像処理装置100の操作部近辺の視認し易い位置に単数或いは複数個所設置され、例えばＬＣＤやＬＥＤ、発音素子等の組み合わせにより構成されている。
【００３７】
また、表示部54は、その一部の機能が光学ファインダー104内に設置されている。
【００３８】
表示部54の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、選択測距点、露出補正表示、フラッシュ表示、赤目緩和表示、マクロ撮影表示、ブザー設定表示、時計用電池残量表示、電池残量表示、エラー表示、複数桁の数字による情報表示、記録媒体200及び20の着脱状態表示、通信I/F動作表示、日付表示・時刻表示、等がある。
【００３９】
また、表示部54の表示内容のうち一部の情報を画像表示部28にも表示することを可能としている。
【００４０】
光学ファインダー104内に表示するものとしては、合焦表示、手振れ警告表示、フラッシュ充電表示、シャッタースピード表示、絞り値表示、露出補正表示、等がある。
【００４１】
56は不揮発性メモリでEEPROM等で現在の設定状態や、トラブルの記憶、後に説明するカスタムファンクションの設定などを記憶する。
【００４２】
60、62、64、66、68及び70は、システム制御回路50の各種の動作指示を入力するための操作手段であり、スイッチやダイアル等の単数或いは複数の組み合わせで構成される。
【００４３】
60はモードダイアルで、Ｔｖ優先、Ａｖ優先、Ｐモード等の撮影モードを設定することができる。62はシャッタースイッチＳＷ１で、不図示のシャッターボタンの操作途中でONとなり、ＡＦ処理、ＡＥ処理、ＡＷＢ処理、ＥＦ処理等の動作開始を指示する。
【００４４】
64はシャッタースイッチＳＷ２で、不図示のシャッターボタンの操作完了でONとなり、撮像素子14から読み出した信号をＡ／Ｄ変換器16、メモリ制御回路22を介して画像データメモリ30に画像データを書き込む露光処理、画像処理回路20やメモリ制御回路22での演算を用いた撮像処理、画像データメモリ30から画像データを読み出し、画像ファイル生成部32で圧縮を行い、記録媒体200に画像データを書き込む記録処理という一連の処理の動作開始を指示する。
【００４５】
66は画像表示ON/OFFスイッチで、画像表示部28のON/OFFを設定することが出来る。
【００４６】
68はメインダイアルで、露出補正の設定等を行う。
【００４７】
69は上下左右、中央のＳＷから成る多方向キーで、上下左右の４つのＳＷの組み合わせで、上下左右に加え、右上右下、左上左下と８方向、これに中央のＳＷがあるので全９方向の指示をすることができる。
【００４８】
70は各種ボタン、ダイヤルからなる操作部で、測距点選択ボタン、メニューボタン、セットボタン、単写/連写/セルフタイマー切り替えボタン、露出補正ボタン等がある。
【００４９】
メニューボタンによりメニューモードへ入り、更に細かい設定を行う。
【００５０】
本発明に係る、測距点の絶対位置選択、相対位置選択の切り替えもメニューモード内のカスタムファンクション設定で行う。
【００５１】
80は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路50の指示に基づいてDC-DCコンバータを制御し、必要な電圧を必要な期間、記録媒体を含む各部へ供給する。
【００５２】
82と84は電源接続用コネクタ、86はアルカリ電池やリチウム電池等の一次電池やNiCd電池やNiMH電池、Li電池等の二次電池、ACアダプター等からなる電源手段である。
【００５３】
90はメモリカードやハードディスク等の記録媒体とのインターフェース、92はメモリカードやハードディスク等の記録媒体と接続を行うコネクタ、98はコネクタ92に記録媒体200が装着されているか否かを検知する記録媒体着脱検知手段である。
【００５４】
インターフェース及びコネクタとしては、外部記録媒体であるPCMCIAカード等の規格に準拠したものを用いて構成して構わない。
【００５５】
さらに、インターフェース90、そしてコネクタ92をPCMCIAカード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５６】
104は光学ファインダーであり、画像表示部28による画像モニタ機能を使用すること無しに、光学ファインダーのみを用いて撮影を行うことが可能である。また、光学ファインダー104内には、表示部54の一部の機能、例えば、合焦表示、手振れ警告表示、フラッシュ充電表示、シャッタースピード表示、絞り値表示、露出補正表示などが設置されている。
【００５７】
200はメモリカードやハードディスク等の記録媒体である。
【００５８】
記録媒体200は、半導体メモリや磁気ディスク等から構成される記録部202、画像処理装置100とのインターフェース204、画像処理装置100と接続を行うコネクタ206を備えている。
【００５９】
次に、第１の実施例を説明する。
【００６０】
図２は、多方向キー69の拡大図である。
【００６１】
ＳＷ部材が上、下、左、右と中央の５つのＳＷから成っている。
操作部材自体は円盤状になっており、押す方向によって円盤状の操作部材の下にあるＳＷがオンする構造になっている。
【００６２】
斜め方向は２つのＳＷが同時に入ることにより検出できる。
【００６３】
例えば右斜め上のあたりを押すと右と上のＳＷが入ることで右上であると検出できる。本実施例では、ＳＷ検出用のポートの節約のために２つのＳＷが入ることにより斜め方向を検出するＳＷを使用しているが、単純に、斜め方向にも独立したＳＷを設けても良い。
【００６４】
図１は９つの測距点を、相対位置選択と絶対位置選択とで選択していく場合の違いを示している。
【００６５】
相対位置選択指示と絶対位置選択指示の設定は、操作部70内のメニューボタンを押し、メニューモードに入りカスタムファンクションの設定にて行う。
【００６６】
カスタムファンクションとは、ユーザーが任意に設定できる項目で、たとえば、ＳＷの定義を入れ替えたり、初期に設定される値を設定したりすることができる。
【００６７】
ユーザーが設定した状態は不揮発性メモリ56に記憶される。
【００６８】
以下、状態別に説明していく。
【００６９】
状態Ａ：左の測距点が選択されている状態。
【００７０】
状態Ｂ：多方向キーの「上」のＳＷが押された。
【００７１】
＜相対位置選択＞
相対位置選択では現在の位置が基準となるため、現在の位置から上へ測距点を移動させる。真上には無いので右上への移動としている。本実施例では右上へとしているが、指示した方向に測距点が無い場合は移動しないという設定にしても良い。
【００７２】
＜絶対位置選択＞
絶対位置選択の場合は、方向ＳＷと測距点が1対１で対応しているので、上の位置に相当する測距点が選択される。
【００７３】
状態Ｃ：多方向キーの「右下」（右＋下）のＳＷが押された。
【００７４】
＜相対位置選択＞
再び現在の位置が基準となり、ここから右下という位置の測距点である、中央の測距点が選択される。
【００７５】
＜絶対位置選択＞
対応した右下の測距点が選択される。
【００７６】
状態Ｄ：多方向キーの「左」のＳＷが押された。
＜相対位置選択＞
現在の位置、中央が基準となりここから左という位置の測距点が選択される。
【００７７】
＜絶対位置選択＞
対応した左の測距点が選択される
測距点を不規則に変更する場合などは、絶対位置選択にしておくと感覚的にわかりやすく、すぐに希望する測距点に切り替えることができる。
【００７８】
測距点を左から右へ順番に切り替えていくような場合は、相対位置選択にしておけば、１つのＳＷを繰り返し押すことで測距点を切り替えていくことができる。
【００７９】
続いて第２の実施例の説明をする。
【００８０】
デジタルカメラ本体の構成については実施例１と同様なので省略する。
【００８１】
図３は撮影した画像をインデックス表示し、相対位置選択と絶対位置選択とで選択していく場合の違いを示している。
【００８２】
相対位置選択と絶対位置選択の設定は、操作部70内のメニューボタンを押し、メニューモードに入り、カスタムファンクション設定にて行う。
【００８３】
状態Ａ：撮影画像（１）〜（９）が撮影順に並んでおり、現在（９）の画像が選択候補となっている状態である。
【００８４】
状態Ｂ：多方向キーの「右下」（右＋下）のＳＷが押された。
【００８５】
＜相対位置選択＞
撮影画像（９）が基準となりここから右下という位置の画像が選択される。
【００８６】
現在選択されている画像（９）は右下であり、ここから右下への画像は同画面には無い。
【００８７】
よって、次のページへと切り替わり、（10）の画像が選択される。
【００８８】
本実施例では自動的に次画面に切り替えているが、端になったらページの切り替わりを行わず、選択の変更を行わなくしても良い。
【００８９】
＜絶対位置選択＞
絶対位置での設定では、現在選択されている画像（９）と同様である位置の右下の画像（９）が選択される。
【００９０】
状態Ｃ：多方向キーの「右」のＳＷが押された。
【００９１】
＜相対位置選択＞
撮影画像（10）が基準となりここから右という位置の画像（11）が選択される。
【００９２】
＜絶対位置選択＞
対応した右の画像（６）が選択される。
【００９３】
絶対位置選択なので、多方向キーのそれぞれが現在表示されている画像に１対１で対応している。本実施例では絶対位置選択時には次画面へ切り替えは操作部70内にあるダイヤルで行う。
【００９４】
状態Ｄ：多方向キーの「左下」（左＋下）のＳＷが押された。
【００９５】
＜相対位置選択＞
撮影画像（11）が基準となりここから左下という位置の画像（13）が選択される。
【００９６】
＜絶対位置選択＞
対応した左下の画像（７）が選択される。
【００９７】
撮影画像の内容や、枚数、選択目的などによって撮影画像の選択方法を切り替えることによって、状況に合った選択方法に切り替えることによって、画像の選択がスムーズに行える。
【００９８】
続いて第３の実施例の説明をする。
【００９９】
デジタルカメラ本体の構成については実施例１、２と同様なので省略する。
【０１００】
図４は、撮影画像をインデックス表示し、絶対位置選択していく場合の画像の選択状態を示したものである。
【０１０１】
順番に説明して行く。
【０１０２】
状態Ａ：撮影画像（１）〜（９）が撮影順に並んでおり、現在（５）の画像が選択候補となっている状態である。
【０１０３】
状態Ｂ：多方向キーの「右下」（右＋下）のＳＷが押された。
【０１０４】
実施例２で説明した通り、絶対位置選択時には多方向キーのそれぞれが、現在表示されている画像に１対１で対応している。
【０１０５】
つまり現在の選択候補（１）〜（９）の画像のそれぞれに多方向キーのＳＷが対応している。
【０１０６】
「右下」（右＋下）に対応しているのは（９）の画像なので（９）が選択される。
【０１０７】
状態Ｃ：多方向キーの「右下」（右＋下）のＳＷが続けて２回押された。
【０１０８】
本実施例では、所定時間内に続けて同じ方向のＳＷが入力された場合は、方向情報と認識しないで、選択候補画像のページ切り替え機能として動作する。
【０１０９】
ここでは、「右下」「右下」という入力ではなく、ページの切り替えとして認識される。
【０１１０】
所定時間内に同じ方向のＳＷが入力された場合に、選択候補画像のページ切り替え機能として認識するが、この所定の時間を変更できるようにすれば、より好みに合った操作系を実現できる。
【０１１１】
状態Ｄ：多方向キーの「右」のＳＷが押された。
【０１１２】
切り替わったページでも同様に絶対位置選択となるので、右の位置の画像である（15）が選択される。
【０１１３】
次に図５を使って本発明を測距点選択に応用した場合の実施例について説明していく。
【０１１４】
図５は９つの測距点を、相対位置選択と絶対位置選択とで選択していく場合の違いを示している。
【０１１５】
以下、状態別に説明していく。
【０１１６】
状態Ａ：左の測距点が選択されている状態。
【０１１７】
状態Ｂ：多方向キーの「右下」（右＋下）のＳＷが押された。
【０１１８】
＜相対位置選択＞
現在の位置が基準となりここから右下という位置の測距点が選択される。
【０１１９】
＜絶対位置選択＞
対応した右下の測距点が選択される。
【０１２０】
状態Ｃ：多方向キーの「右下」（右＋下）のＳＷが続けて２回押された。
【０１２１】
本実施例では、所定時間内に続けて同じ方向のＳＷが入力された場合は、方向情報と認識しないで、測距点を自動選択に設定する機能として動作する。
【０１２２】
測距点の選択には、任意の測距点を設定する場合と、自動で選択させる自動選択がある。
【０１２３】
自動選択の場合は、測距点をすべて選択した表示として撮影者に知らせる。
【０１２４】
＜相対位置選択＞
すべての測距点を選択状態とし、自動選択に切り替えられたことを表示する。
【０１２５】
＜絶対位置選択＞
すべての測距点を選択状態とし、自動選択に切り替えられたことを表示する。
【０１２６】
状態Ｃ：多方向キーの「右」のＳＷが押された。
【０１２７】
ここでは1回の入力なので方向情報として認識される。
【０１２８】
＜相対位置選択＞
自動選択が設定される前の状態である、状態Ｂから右という位置の測距点が選択される。
【０１２９】
自動選択からの移行についてはこれに限ることはなく、所定の測距点が選択されるようにしても良い。
【０１３０】
＜絶対位置選択＞
絶対位置で対応している右の測距点が選択される。
【０１３１】
以上説明したように、多方向キーの単押しだけでは設定できない自動選択の様な特殊な設定も操作部材を変えることなく設定することが実現できる。
【図面の簡単な説明】
【０１３２】
【図１】本発明の第１の実施例に係る、測距点を相対位置選択と絶対位置選択とで選択していく場合の違いを示した図。
【図２】本発明の第１〜第３の実施例に係る、の多方向キーの拡大図。
【図３】本発明の第２の実施例に係る、撮影した画像をインデックス表示し、相対位置選択と絶対位置選択とで選択していく場合の違いを示した図。
【図４】本発明の第３の実施例に係る、撮影画像をインデックス表示し、絶対位置選択していく場合の画像の選択状態を示した図。
【図５】本発明の第３の実施例に係る、測距点を相対位置選択と絶対位置選択とで選択していく場合の違いを示した図。
【図６】本発明の一例となる実施例の構成を示す図。
【符号の説明】
【０１３３】
１１  ミラー
１２  シャッター
４４  測距点
５０  システム制御回路
６９  多方向キー
７０  ＳＷ操作部
１００  デジタルカメラ本体
【図１】
2006349832.tif 000003
【図２】
2006349832.tif 000004
【図３】
2006349832.tif 000005
【図４】
2006349832.tif 000006
【図５】
2006349832.tif 000007
【図６】
2006349832.tif 000008